(57)【要約】【課題】携帯情報端末カバーの相対移動機能を用いて携帯情報端末をより便利に利用する技術を提供する。【解決手段】携帯情報端末に装着される携帯情報端末カバーであって、保持部と変化部とを備える。保持部は、カバー本体に設けられ、携帯情報端末をカバー本体に対して移動可能に保持する。変化部は、携帯情報端末がカバー本体に対して移動された場合に、携帯情報端末により検出される状態を変化させるように構成されている。【選択図】図２
2017183823.tif 000002
【特許請求の範囲】
【請求項１】
携帯情報端末に装着される携帯情報端末カバーであって、
前記携帯情報端末を覆うカバー本体と、
前記カバー本体に設けられ、前記携帯情報端末を前記カバー本体に対して移動可能に保持する保持部と、
前記携帯情報端末が前記カバー本体に対して移動された場合に、前記携帯情報端末により検出される状態を変化させるように構成された変化部と、
を備える携帯情報端末カバー。
【請求項２】
請求項１に記載の携帯情報端末カバーであって、
前記携帯情報端末は、磁気を検出する磁気センサを備え、前記磁気センサの検出値に基づいて所定の処理を実行するように構成され、
前記変化部は、磁力を有する部品を備え、
前記磁力を有する部品は、前記携帯情報端末の前記カバー本体に対する移動に伴い前記携帯情報端末に対する位置が変化するように設けられている、携帯情報端末カバー。
【請求項３】
請求項１又は請求項２に記載の携帯情報端末カバーであって、
前記携帯情報端末は、マイクを備え、前記マイクに所定の音である処理実行音が入力されることにより所定の処理を実行するように構成され、
前記変化部は、
スピーカと、
前記携帯情報端末が前記カバー本体に対して移動された場合に、前記処理実行音を前記スピーカに出力させる音制御部と、
を備える、携帯情報端末カバー。
【請求項４】
請求項１から請求項３までのいずれか１項に記載の携帯情報端末カバーであって、
前記携帯情報端末は、ＮＦＣ通信を行うためのＮＦＣアンテナを備え、前記ＮＦＣアンテナを介して所定の情報である処理実行情報を受信することにより所定の処理を実行するように構成され、
前記変化部は、前記ＮＦＣアンテナから発信される電波による電力で駆動することにより前記処理実行情報を前記ＮＦＣアンテナに送信するＮＦＣタグを備え、
前記ＮＦＣタグは、前記携帯情報端末の前記カバー本体に対する移動に伴い、前記携帯情報端末に対する位置が変化するように設けられる、携帯情報端末カバー。
【請求項５】
請求項１から請求項４までのいずれか１項に記載の携帯情報端末カバーであって、
前記携帯情報端末は、当該携帯情報端末と前記携帯情報端末カバーとを接続するケーブルを接続可能な接続部を備え、前記ケーブルを介して所定の信号である処理実行信号が入力されることにより所定の処理を実行するように構成され、
前記変化部は、
前記携帯情報端末の前記カバー本体に対する移動に連動して切り替えられるスイッチと、
前記スイッチの切替えに基づいて、前記ケーブルに前記処理実行信号を出力する信号出力部と、
を備える、携帯情報端末カバー。
【請求項６】
請求項１から請求項５までのいずれか１項に記載の携帯情報端末カバーであって、
前記携帯情報端末は、電源オフ状態、スリープ状態及び起動状態に遷移可能に構成され、
前記変化部は、前記スリープ状態の前記携帯情報端末により検出される状態を変化させることにより、前記携帯情報端末に前記スリープ状態から前記起動状態に遷移する処理を実行させる、携帯情報端末カバー。
【請求項７】
請求項１から請求項６までのいずれか１項に記載の携帯情報端末カバーであって、
前記携帯情報端末は、電源オフ状態、スリープ状態及び起動状態に遷移可能に構成され、
前記変化部は、前記起動状態の前記携帯情報端末により検出される状態を変化させることにより、前記携帯情報端末に所定の処理を実行させる、携帯情報端末カバー。
【請求項８】
請求項７に記載の携帯情報端末カバーであって、
前記変化部は、前記起動状態の前記携帯情報端末により検出される状態を変化させることにより、前記携帯情報端末に所定のアプリケーションソフトウェアを起動する処理を実行させる、携帯情報端末カバー。
【請求項９】
請求項７又は請求項８に記載の携帯情報端末カバーであって、
前記変化部は、前記起動状態の前記携帯情報端末により検出される状態を変化させることにより、前記携帯情報端末に所定のアプリケーションソフトウェアの機能を実行させる、携帯情報端末カバー。
【請求項１０】
携帯情報端末が備えるコンピュータを、
前記携帯情報端末が、当該携帯情報端末に装着される携帯情報端末カバーであって当該携帯情報端末を移動可能に保持する前記携帯情報端末カバーに対して移動したか否かを判定する判定部、及び、
前記判定部により前記携帯情報端末が前記携帯情報端末カバーに対して移動したと判定された場合に、所定の処理を実行する処理実行部、
として機能させる携帯情報端末プログラム。
【発明の詳細な説明】
【技術分野】
【０００１】
本開示は、携帯情報端末カバー及び携帯情報端末プログラムに関する。
【背景技術】
【０００２】
ユーザが携帯して使用可能な情報機器である携帯情報端末に装着される携帯情報端末カバーが知られている。特許文献１には、携帯情報端末としてのスマートフォンに装着されるスマートフォンカバーが開示されている。一般に、スマートフォンには、背面における上端部にカメラのレンズが配置されている。特許文献１に記載のスマートフォンカバーは、スマートフォンの幅方向両側を挟持して固定する固定部が、カバー本体に対して上下方向にスライド移動可能に設けられている。スマートフォンをスライド移動させてカメラのレンズをスマートフォンカバーから露出させることで、スマートフォンのカメラ機能が利用可能となる。
【先行技術文献】
【特許文献】
【０００３】
【特許文献１】特開２０１５−４６７１２号公報
【発明の概要】
【発明が解決しようとする課題】
【０００４】
しかしながら、特許文献１に記載のスマートフォンカバーでは、カメラのレンズを露出させるためだけにスマートフォンカバーのスライド移動機能、ひいてはスマートフォンカバーに対するスマートフォンの相対移動機能が利用されていた。換言すれば、携帯情報端末カバーの相対移動機能を用いて携帯情報端末が十分に活用されているとは言えなかった。
【０００５】
本開示の一局面は、携帯情報端末カバーの相対移動機能を用いて携帯情報端末をより便利に利用する技術を提供することを目的としている。
【課題を解決するための手段】
【０００６】
本開示の一態様は、携帯情報端末に装着される携帯情報端末カバーであって、保持部と変化部とを備える。保持部は、カバー本体に設けられ、携帯情報端末をカバー本体に対して移動可能に保持する。変化部は、携帯情報端末がカバー本体に対して移動された場合に、携帯情報端末により検出される状態を変化させるように構成されている。
【０００７】
このような構成によれば、携帯情報端末がカバー本体に対して移動された場合に、携帯情報端末により検出される状態が変化するため、携帯情報端末は自身がカバー本体に対して移動されたことを検出することができる。したがって、携帯情報端末と携帯情報端末カバーとの協働により、携帯情報端末の移動に連動して所定の処理が実行される構成を実現することができる。したがって、携帯情報端末カバーの相対移動機能を用いて携帯情報端末をより便利に利用することができる。
【０００８】
本開示の一態様は、携帯情報端末が、磁気を検出する磁気センサを備え、磁気センサの検出値に基づいて所定の処理を実行するように構成されていてもよい。そして、変化部は、磁力を有する部品を備え、磁力を有する部品は、携帯情報端末のカバー本体に対する移動に伴い携帯情報端末に対する位置が変化するように設けられていてもよい。
【０００９】
このような構成によれば、携帯情報端末に対する磁力を有する部品の位置が変化することで、携帯情報端末により検出される、磁気の状態が変化する。したがって、比較的安価かつ簡易な構成で、携帯情報端末により検出される状態を変化させることができる。
【００１０】
本開示の一態様は、携帯情報端末が、マイクを備え、マイクに所定の音である処理実行音が入力されることにより所定の処理を実行するように構成されていてもよい。そして、変化部は、スピーカと、携帯情報端末がカバー本体に対して移動された場合に、処理実行音をスピーカに出力させる音制御部と、を備えていてもよい。
【００１１】
このような構成によれば、処理実行音がスピーカから出力されることで、携帯情報端末により検出される、音の入力状態を変化させることができる。
本開示の一態様は、携帯情報端末が、ＮＦＣ通信を行うためのＮＦＣアンテナを備え、ＮＦＣアンテナを介して所定の情報である処理実行情報を受信することにより所定の処理を実行するように構成されていてもよい。そして、変化部は、ＮＦＣアンテナから発信される電波による電力で駆動することにより処理実行情報をＮＦＣアンテナに送信するＮＦＣタグを備え、ＮＦＣタグは、携帯情報端末のカバー本体に対する移動に伴い、携帯情報端末に対する位置が変化するように設けられていてもよい。
【００１２】
このような構成によれば、携帯情報端末に対するＮＦＣタグの位置が変化し、ＮＦＣタグが処理実行情報をＮＦＣアンテナに送信することで、携帯情報端末により検出される、情報の受信状態が変化する。このように、ＮＦＣアンテナから発信される電波による電力に基づいて、携帯情報端末により検出される状態を変化させることができる。
【００１３】
本開示の一態様は、携帯情報端末が、当該携帯情報端末と携帯情報端末カバーとを接続するケーブルを接続可能な接続部を備え、ケーブルを介して所定の信号である処理実行信号が入力されることにより所定の処理を実行するように構成されていてもよい。そして、変化部は、携帯情報端末のカバー本体に対する移動に連動して切り替えられるスイッチと、スイッチの切替えに基づいて、ケーブルに処理実行信号を出力する信号出力部と、を備えていてもよい。
【００１４】
このような構成によれば、ケーブルに処理実行信号が出力されることで、携帯情報端末により検出される、信号の入力状態が変化する。したがって、携帯情報端末が状態変化を検出することができる確実性を向上させることができる。
【００１５】
本開示の一態様は、携帯情報端末が、電源オフ状態、スリープ状態及び起動状態に遷移可能に構成されていてもよい。そして、変化部は、スリープ状態の携帯情報端末により検出される状態を変化させることにより、携帯情報端末にスリープ状態から起動状態に遷移する処理を実行させてもよい。
【００１６】
このような構成によれば、スリープ状態の携帯情報端末をカバー本体に対して移動させるだけで、スリープ状態から起動状態に遷移させることができる。
本開示の一態様は、携帯情報端末が、電源オフ状態、スリープ状態及び起動状態に遷移可能に構成されていてもよい。そして、変化部は、起動状態の携帯情報端末により検出される状態を変化させることにより、携帯情報端末に所定の処理を実行させてもよい。
【００１７】
このような構成によれば、起動状態の携帯情報端末をカバー本体に対して移動させるだけで、携帯情報端末に所定の処理を実行させることができる。
本開示の一態様は、変化部が、起動状態の携帯情報端末により検出される状態を変化させることにより、携帯情報端末に所定のアプリケーションソフトウェアを起動する処理を実行させてもよい。
【００１８】
このような構成によれば、起動状態の携帯情報端末をカバー本体に対して移動させるだけで、携帯情報端末に所定のアプリケーションソフトウェアを起動させることができる。
本開示の一態様は、変化部が、起動状態の携帯情報端末により検出される状態を変化させることにより、携帯情報端末に所定のアプリケーションソフトウェアの機能を実行させてもよい。
【００１９】
このような構成によれば、起動状態の携帯情報端末をカバー本体に対して移動させるだけで、携帯情報端末に所定のアプリケーションソフトウェアの機能を実行させることができる。
【００２０】
本開示の別の態様は、携帯情報端末プログラムであって、携帯情報端末が備えるコンピュータを判定部及び処理実行部として機能させる。判定部は、携帯情報端末が、当該携帯情報端末に装着される携帯情報端末カバーであって当該携帯情報端末を移動可能に保持する携帯情報端末カバーに対して移動したか否かを判定する。処理実行部は、判定部により携帯情報端末が携帯情報端末カバーに対して移動したと判定された場合に、所定の処理を実行する。
【００２１】
このような構成によれば、携帯情報端末が携帯情報端末カバーに対して移動したと判定された場合に、携帯情報端末が、ユーザが認識可能である所定の処理を実行する。つまり、携帯情報端末の移動に連動して携帯情報端末が所定の処理を実行する。したがって、携帯情報端末カバーの相対移動機能を用いて携帯情報端末をより便利に利用することができる。
【図面の簡単な説明】
【００２２】
【図１】図１Ａは、板部が第１の位置に位置している状態のスマートフォンカバーの正面図である。図１Ｂは、板部が第２の位置に位置している状態のスマートフォンカバーの正面図である。
【図２】図２Ａは、スマートフォンに装着された状態のスマートフォンカバーの図１Ａに対応する正面図である。図２Ｂは、スマートフォンに装着された状態のスマートフォンカバーの図１Ｂに対応する正面図である。
【図３】スマートフォンの構成を表すブロック図である。
【図４】図４Ａは、板部の背面図である。図４Ｂは、ベースの正面及びバネを表す図である。図４Ｃは、蓋部の正面図である。
【図５】スライド連動処理のフローチャートである。
【図６】第２実施形態のスマートフォンカバーの構成を表すブロック図である。
【図７】図７Ａは、板部が第１の位置に位置しており、スマートフォンのＮＦＣアンテナとスマートフォンカバーのＮＦＣタグとの間でＮＦＣ通信が行われていない状態を表す図である。図７Ｂは、板部が第２の位置に位置しており、スマートフォンのＮＦＣアンテナとスマートフォンカバーのＮＦＣタグとの間でＮＦＣ通信が行われている状態を表す図である。
【図８】第４実施形態のスマートフォンカバーの構成を表すブロック図である。
【発明を実施するための形態】
【００２３】
以下、図面を参照しながら、本開示を実施するための形態を説明する。
［１．第１実施形態］
［１−１．構成］
図１及び図２に示すスマートフォンカバー１は、ユーザが携帯して使用可能な情報機器である携帯情報端末の一例としてのスマートフォン２に装着されることにより、スマートフォン２の正面及び背面を覆う二つ折り形状の手帳型のカバーである。図１及び図２では、開状態（二つ折りにされていない状態）のスマートフォンカバー１が示されている。後述するように、スマートフォン２はスマートフォンカバー１によってスライド移動可能に保持され、スマートフォン２がスライド移動されることに連動してスマートフォン２で所定の処理が実行される。スマートフォン２は、複数の機種のスマートフォンの中の一例であり、スマートフォンカバー１は、複数の機種のスマートフォンに対応可能に構成されている。また、スマートフォン２は、電源オフ状態、スリープ状態及び起動状態に遷移可能に構成されている。ここでいう起動状態とは、通常起動している状態、換言すれば、電源オン状態においてスリープ状態が解除された状態である。
【００２４】
＜スマートフォン２の電気的な構成＞
まず、スマートフォン２の電気的な構成について、図３を用いて説明する。スマートフォン２は、タッチパネルディスプレイ２１、カメラ部２２、磁気センサ２３、イヤホンジャック２４、ＮＦＣアンテナ２５、マイク２６、ボタン操作部２７及び制御部２８を備える。
【００２５】
タッチパネルディスプレイ２１は、スマートフォン２の正面に設けられており、制御部２８から要求された種々の画像を表示する。また、タッチパネルディスプレイ２１は、ユーザからのタッチ操作を受け付けて、タッチ操作の内容を表す操作信号を制御部２８に出力する。
【００２６】
カメラ部２２は、ＣＣＤ（Charge-Coupled Device）やＣＭＯＳ（Complementary Metal Oxide Semiconductor）などの撮像素子を用いて電子撮像するデジタルカメラである。カメラ部２２は、制御部２８からの指令に従い撮像を行い、撮像した画像を表すデータを制御部２８に出力する。図２Ａ及び図２Ｂに示すように、カメラ部２２のレンズ２２ａは、スマートフォン２の背面における上端部に設けられている。図２Ａ及び図２Ｂでは、レンズ２２ａは透過して図示されている。
【００２７】
磁気センサ２３は、磁気を検出するセンサであり、検出値を表す信号を制御部２８に出力する。磁気センサ２３は、地磁気を検出し、検出した地磁気に基づいて方位を計測する機能（いわゆる電子コンパス機能）のために使用される。
【００２８】
イヤホンジャック２４は、耳又はその近傍に装着可能な発音体（例えばスピーカ）を有するイヤホンケーブルを接続可能な接続端子である。イヤホンジャック２４にイヤホンケーブルが接続された状態においては、音楽等の音を表す音信号が制御部２８からイヤホンジャック２４を介してイヤホンケーブルに出力可能である。一方、この状態においては、イヤホンケーブルに設けられた音量調節ボタンが操作されると、操作の内容を表す操作信号がイヤホンジャック２４を介して制御部２８に出力され、音信号の表す音の音量が制御部２８により調節される。
【００２９】
ＮＦＣアンテナ２５は、ＮＦＣ（Near Field Communication）方式の通信を行うためのアンテナであり、制御部２８からの指令に従い、ＮＦＣ通信が可能な機器との間で各種情報の送受信を行う。ＮＦＣアンテナ２５は、例えば、ＮＦＣアンテナ２５とＮＦＣ通信を行うリーダ・ライタにスマートフォン２をかざして電子マネーの決済を行うために使用される。
【００３０】
マイク２６は、音を入力するための装置であり、入力された音に応じた信号を制御部２８に出力する。マイク２６は、スマートフォン２を用いて通話を行う際に音を入力するために使用される。また、本実施形態のスマートフォン２は、ユーザの発した音声を認識し、その内容に応じた処理を実行する音声認識機能を有しており、マイク２６は、スマートフォン２の音声認識機能を実現するためにも使用される。
【００３１】
ボタン操作部２７は、図２Ａ及び図２Ｂに示すホームボタン２７ａ、ボリュームボタン２７ｂ，２７ｃ及びスリープボタン２７ｄなどの物理ボタンを備え、タッチパネルディスプレイ２１でのタッチ操作以外の基本操作をボタン操作により可能とする。
【００３２】
ホームボタン２７ａは、スマートフォン２の正面におけるタッチパネルディスプレイ２１の下方に設けられ、当該ボタン２７ａが押されるとタッチパネルディスプレイ２１にホーム画面が表示される。本実施形態では、ホーム画面においてアプリケーションソフトウェア（以下、アプリ）のアイコンをタッチすることでアプリが起動され、ホームボタン２７ａを押すことで、当該アプリが終了される。
【００３３】
ボリュームボタン２７ｂ，２７ｃは、スマートフォン２の側面において互いに近接して設けられており、ボリュームボタン２７ｂが押されると音量が増加し、ボリュームボタン２７ｃが押されると音量が減少する。
【００３４】
スリープボタン２７ｄは、スマートフォン２の上部に設けられ、当該ボタン２７ｄが押されるとスマートフォン２がスリープ状態に遷移する一方、スリープ状態のときに当該ボタン２７ｄが押されるとスリープ状態から復帰する。また、スリープボタン２７ｄを所定時間以上長押しすると、スマートフォン２の状態が、電源オン状態と電源オフ状態との間で切り替えられる。ボタン操作部２７は、ボタン操作の内容の表す信号を制御部２８に出力する。
【００３５】
制御部２８は、ＣＰＵ、ＲＯＭ及びＲＡＭ等を構成要素とするマイクロコンピュータを備える。制御部２８は、各種装置２１〜２７との間で信号の送受信を行い、受信した信号に基づき、図５に示すスライド連動処理を行う。本実施形態では、スマートフォン２には、専用のアプリ（以下、スライド連動アプリ）がインストールされており、スライド連動処理はこのスライド連動アプリの処理である。スライド連動アプリは、通常のカメラアプリに、スマートフォン２がスライドされるとカメラ部２２による撮像が行われる機能が付加されたアプリである。スライド連動処理及びスライド連動アプリについては、後で詳述する。
【００３６】
＜スマートフォンカバー１の物理的な構成＞
次に、スマートフォンカバー１の物理的な構成について、図１、図２及び図４を用いて説明する。以下では、概略長方形状の板状のスマートフォン２がスマートフォンカバー１に装着された状態におけるスマートフォン２の長手方向及び短手方向をそれぞれ、スマートフォンカバー１及びスマートフォンカバー１が備える各構成の上下方向及び左右方向と称する。
【００３７】
スマートフォンカバー１は、カバー本体３と、保持部４と、図４Ｂに示すバネ５と、を備える。
図１及び図２に示すカバー本体３は、概略長方形状のシート状に形成され、当該長方形の中央部においてスマートフォンカバー１の上下方向に沿って平行に形成された２本の折りたたみ線３１，３２でＵの字状に折りたたまれて、スマートフォン２を挟むように二つ折りにされる。カバー本体３は、例えば革製である。
【００３８】
カバー本体３における内側の面（スマートフォン２と対向する側の面）は、折りたたみ線３１，３２により３つの面である正面対向面３３、側面対向面３４及び背面対向面３５に区分される。正面対向面３３と側面対向面３４とは連続し、側面対向面３４と背面対向面３５とは連続する。これらの面はいずれも概略長方形状であり、その長手方向はスマートフォンカバー１の上下方向に一致する。正面対向面３３と背面対向面３５とは同一形状で、側面対向面３４はこれらの面３３，３５よりも左右方向の幅が短く設計されている。
【００３９】
正面対向面３３は、カバー本体３が折りたたまれた状態においてスマートフォン２の正面と対向する面であり、その大きさはスマートフォン２の正面視での大きさよりも一回り大きく設計されている。なお、正面対向面３３には、クレジットカードやキャッシュカード等のカード類を収納可能な複数（この例では２つ）のポケット３３ａ，３３ｂが備え付けられている。
【００４０】
側面対向面３４は、カバー本体３が折りたたまれた状態においてスマートフォン２の側面と対向する面であり、その左右方向の幅はスマートフォン２の厚みよりも大きく設計されている。
【００４１】
背面対向面３５は、スマートフォン２の背面と対向する面である。背面対向面３５は、正面対向面３３と同一形状、つまりスマートフォン２の正面視での大きさよりも一回り大きいため、図２Ａに示すようにスマートフォン２の背面全体を覆うことが可能である。また、図示しないが、カバー本体３が折りたたまれることで、正面対向面３３と背面対向面３５とでスマートフォン２の背面全体に加え正面全体も覆うことが可能である。換言すれば、カバー本体３は、スマートフォン２の正面を覆う板部である正面板部３３ａを備え、正面板部３３ａによりスマートフォン２の正面の少なくとも一部が覆われた状態である閉状態（スマートフォンカバー１が二つ折りにされている状態）と、正面板部３３ａによりスマートフォン２の正面の全部が覆われていない状態である開状態（スマートフォンカバー１が二つ折りにされていない状態）と、を実現する。
【００４２】
なお、本実施形態では、カバー本体３は、当該カバー本体３の左右両側の２つの辺の一方から外側に突出したベルト部３６を備える。ベルト部３６が他方の辺に留められることにより、カバー本体３が折りたたまれた状態が維持される。
【００４３】
保持部４は、背面対向面３５における中央部に設けられている。換言すれば、保持部４は、カバー本体３のうちの、板状のスマートフォン２におけるタッチパネルディスプレイ２１が設けられた面（正面）の反対側の面（背面）を覆う部分である背面板部３５ａに設けられている。この保持部４は、スマートフォン２をカバー本体３に対してスライド移動可能に保持するための部材である。ここでいうカバー本体３に対して移動可能に保持するとは、カバー本体３における背面板部３５ａに対して移動可能に保持することを意味する。保持部４は、板部４１と、板部４１に貼り付けられた粘着シート４２と、板部４１をスマートフォンカバー１の上下方向にスライド移動可能に保持するスライド機構４３と、を備える。
【００４４】
板部４１は、概略長方形状の板状の樹脂製の部材であり、その長手方向はスマートフォンカバー１の上下方向と一致する。図１Ａ及び図１Ｂに示すように、板部４１の正面（カバー本体３が折りたたまれたときに正面対向面３３に対向する面）には長方形状の粘着シート４２が貼り付けられおり、スマートフォン２の背面に接着する接着面４２ａが形成されている。スマートフォン２は、接着面４２ａに着脱可能に接着されるが、粘着シート４２の粘着力は強力であるため、一度貼付されると容易には剥がれにくい。また、接着面４２ａは、背面対向面３５よりも突出する位置に設けられている。
【００４５】
図４Ａに示すように、板部４１の背面には、小突起４１ａが形成されている。また、板部４１の左右両側には、板部４１の背面側（図４Ａの紙面手前側）に突出する一対の側壁４１ｂ，４１ｃが形成されている。
【００４６】
図４Ｂ及びＣに示すように、スライド機構４３は、ベース４３１と、ベース４３１の上に板部４１が配置された状態で上から被せられる蓋部４３２と、を備える。
ベース４３１は、スマートフォンカバー１の上下方向に沿った長さが板部４１よりも十分に長く、左右方向に沿った長さが板部４１よりもやや長い概略長方形状の板状の樹脂製の部材であり、板部４１の背面と対向する。ベース４３１は、当該ベース４３１の上に板部４１が配置された状態で、スマートフォンカバー１の上下方向に沿った板部４１のスライド移動をガイドする。また、ベース４３１の正面には、小突起４３１ａが形成されている。
【００４７】
蓋部４３２は、概略Ｕ字状の板状の樹脂製の部材であり、その外径はベース４３１の下端部を除く外形と略一致している。蓋部４３２は、板部４１がベース４３１の上に配置された状態で、ベース４３１の下端部を除く外縁を上から覆うように被せられる。これにより、背面対向面３５と垂直な方向の板部４１の移動が規制される。
【００４８】
板部４１は、スライド機構４３により、図１Ａに示す第１の位置と図１Ｂに示す第２の位置との間でスライド移動可能に保持される。板部４１が第１の位置に位置している状態では、図２Ａに示すように、スマートフォン２の背面全体がカバー本体３に覆われる。一方、板部４１が第２の位置に位置している状態では、図２Ｂに示すように、スマートフォン２の背面における端部がカバー本体３よりも外側へ突出する。また、板部４１が第１の位置に位置している状態では、前述の閉状態において、スマートフォン２のタッチパネルディスプレイ２１の全部がカバー本体３（正面板部３３ａ）により覆われる。また、板部４１が第２の位置に位置している状態では、閉状態においても、タッチパネルディスプレイ２１の一部（タッチパネルディスプレイ２１における上部）がカバー本体３から露出する。板部４１が第２の位置に位置している状態では、スマートフォン２のカメラ部２２のレンズ２２ａがカバー本体３よりも外側へ突出して、カメラ部２２による撮像が可能になる。
【００４９】
図４Ｂに示すバネ５は、磁力を有する金属製のバネである。バネ５は、ジグザグ形状をしており、その両端部がカールして輪状部５ａ，５ｂが形成されている。
バネ５は、板部４１が第１の位置及び第２の位置に維持されるように板部４１を位置決めする役割を担っている。具体的には、バネ５の一方の輪状部５ａが、ベース４３１の小突起４３１ａに引っ掛けられ、他方の輪状部５ｂが、板部４１の小突起４１ａに引っ掛けられる。小突起４３１ａ，４１ａは、板部４１がベース４３１の上下方向の中央部（つまりスライド移動可能な範囲における中央位置）に位置したときにバネ５が最短になるように設けられている。このため、バネ５は、ベース４３１の中央部よりも第１の位置に近い範囲では第１の位置側へ板部４１を付勢し、中央部よりも第２の位置に近い範囲では第２の位置側へ板部４１を付勢する。
【００５０】
また、板部４１（スマートフォン２）がスライド移動することに伴い、スマートフォン２に対するバネ５の位置が変化する。ここでいう「位置が変化する」とは、その物体における少なくとも一点の位置が変化することをいう。つまり、その物体の重心の移動を伴わない回転も、ここでいう位置の変化に含まれる。
【００５１】
スマートフォン２がスライド移動することで、磁気センサ２３に対するバネ５の位置が変化する。また本実施形態では、板部４１が第１の位置に位置している状態よりも第２の位置に位置している状態の方がバネ５についての磁気センサ２３の検出値が高くなるように、バネ５が設けられている。
【００５２】
［１−２．処理］
次に、スマートフォン２の制御部２８が実行するスライド連動処理について、図５のフローチャートを用いて説明する。スライド連動処理は、前述したスライド連動アプリが起動されることで、実行される。
【００５３】
このスライド連動アプリは、撮像モードとアルバムモードとの２つのモードを有しており、これらのモードが切替可能となっている。撮像モードは、カメラ部２２による撮像を行うためのモードである。撮像モードでは、タッチパネルディスプレイ２１に、カメラ部２２のレンズ２２ａから見える風景が表示される。また、撮像モードは、タッチパネルディスプレイ２１に、ソフトウェアボタンとして、撮像を行うシャッターボタン、画質やセルフタイマーの設定等を行う各種設定ボタン、及び、アルバムモードとの間でモードを切り替えるモード切替ボタンが表示される。
【００５４】
一方、アルバムモードは、撮像した画像が表示されるモードである。アルバムモードでは、タッチパネルディスプレイ２１に、撮像した画像の一覧、撮像した画像を編集するための各種設定ボタン及びモード切替ボタンが表示される。なお、スライド連動アプリの起動時には、モードはアルバムモードに設定される。
【００５５】
Ｓ１０１で、制御部２８は、通常操作が行われたか否かを判定する。制御部２８は、タッチパネルディスプレイ２１に表示された各種ソフトウェアボタンのいずれかが操作された場合に、通常操作が行われたと判定する。一方、制御部２８は、各種ソフトウェアボタンのいずれも操作されていない場合に、通常操作が行われていないと判定する。制御部２８は、通常操作が行われたと判定した場合に、処理をＳ１０２に移行させる。
【００５６】
Ｓ１０２で、制御部２８は、Ｓ１０１の操作内容に応じた通常処理を実行する。例えば、制御部２８は、Ｓ１０１でシャッターボタンが操作されたと判定した場合に、カメラ部２２に撮像を行わせる。制御部２８は、Ｓ１０２の処理を実行すると、処理をＳ１０３に移行させる。
【００５７】
一方、制御部２８は、前述したＳ１０１で通常操作が行われていないと判定した場合に、前述したＳ１０２を飛ばして、処理をＳ１０３に移行させる。
Ｓ１０３で、制御部２８は、スマートフォン２が第１の位置から第２の位置に移動したか否かを判定する。ここで、制御部２８は、磁気センサ２３の検出値に基づいて、スマートフォン２が移動したか否かを判定する。
【００５８】
具体的には、Ｓ１０１〜Ｓ１０７の処理は、後述する終了操作が行われたと判定されるまで複数周期実行される。そして、制御部２８は、磁気センサ２３の検出値が、１周期前のＳ１０３では所定のしきい値（以下、スライド判定しきい値）未満であって、最新のＳ１０３ではスライド判定しきい値以上である場合に、スマートフォン２が第１の位置から第２の位置に移動したと判定する。なお、１周期目のＳ１０３では、制御部２８は、磁気センサ２３の検出値に関係なく、スマートフォン２が第１の位置から第２の位置に移動していないと判定する。
【００５９】
また、このスライド判定しきい値は、バネ５の磁気及び地磁気以外の磁気による磁気センサ２３への影響が無視できる状況において、スマートフォン２が第１の位置に位置している状態での磁気センサ２３の検出値よりも高く、スマートフォン２が第２の位置に位置している状態での磁気センサ２３の検出値よりも低くなるように設定される。
【００６０】
制御部２８は、スマートフォン２が第１の位置から第２の位置に移動したと判定した場合に、処理をＳ１０４に移行させる。
Ｓ１０４で、制御部２８は、所定の処理である第１の処理を実行する。本実施形態では、第１の処理は、スライド連動アプリの機能を実行する処理、具体的には、モードを撮像モードに切り替え、カメラ部２２に撮像を行わせる処理である。つまり、スマートフォン２が第１の位置から第２の位置に移動し、カメラ部２２のレンズ２２ａがカバー本体３から露出すると、自動的にモードが撮像モードに切り替えられ、カメラ部２２による撮像が行われる。なお、最新のＳ１０４が実行される前にモード切替ボタンが操作されて既にモードが撮像モードである場合は、最新のＳ１０４の実行前後でモードは撮像モードのままである。制御部２８は、Ｓ１０４の処理を実行すると、処理をＳ１０５に移行させる。
【００６１】
一方、制御部２８は、前述したＳ１０３で、スマートフォン２が第１の位置から第２の位置に移動していないと判定した場合に、前述したＳ１０４を飛ばして、処理をＳ１０５に移行させる。
【００６２】
Ｓ１０５で、制御部２８は、スマートフォン２が第２の位置から第１の位置に移動したか否かを判定する。ここで、制御部２８は、磁気センサ２３の検出値に基づいて、スマートフォン２が移動したか否かを判定する。
【００６３】
具体的には、制御部２８は、磁気センサ２３の検出値が、１周期前のＳ１０３では前述したスライド判定しきい値以上であって、最新のＳ１０３ではスライド判定しきい値未満である場合に、スマートフォン２が第２の位置から第１の位置に移動したと判定する。なお、１周期目のＳ１０５では、制御部２８は、磁気センサ２３の検出値に関係なく、スマートフォン２が第２の位置から第１の位置に移動していないと判定する。制御部２８は、スマートフォン２が第２の位置から第１の位置に移動したと判定した場合に、処理をＳ１０６に移行させる。
【００６４】
Ｓ１０６で、制御部２８は、前述した第１の処理と異なる所定の処理である第２の処理を実行する。本実施形態では、第２の処理は、スライド連動アプリの機能を実行する処理であり、具体的には、モードをアルバムモードに切り替え、撮像した画像の一覧がタッチパネルディスプレイ２１に表示されるアルバム表示を実行する処理である。つまり、スマートフォン２が第２の位置から第１の位置に移動し、カメラ部２２のレンズ２２ａがカバー本体３に覆われると、自動的にモードがアルバムモードに切り替えられ、アルバム表示が行われる。なお、最新のＳ１０６が実行される前にモード切替ボタンが操作されて既にモードがアルバムモードである場合は、最新のＳ１０６の実行前後でモードはアルバムモードのままである。制御部２８は、Ｓ１０６の処理を実行すると、処理をＳ１０７に移行させる。
【００６５】
一方、制御部２８は、前述したＳ１０５で、スマートフォン２が第２の位置から第１の位置に移動していないと判定した場合に、前述したＳ１０６を飛ばして、処理をＳ１０７に移行させる。
【００６６】
Ｓ１０７で、制御部２８は、終了操作が行われたか否かを判定する。制御部２８は、スマートフォン２のホームボタン２７ａが操作された場合に、終了操作が行われたと判定する。
【００６７】
このＳ１０７で、制御部２８は、終了操作が行われたと判定した場合に、スライド連動処理を終了する。一方、制御部２８は、終了操作が行われていないと判定した場合に、前述したＳ１０１に戻り、Ｓ１０１以降の処理を繰り返す。
【００６８】
［１−３．効果］
以上詳述した第１実施形態によれば、以下の効果が得られる。
（１ａ）本実施形態では、スマートフォンカバー１は、スマートフォン２をカバー本体３に対して移動可能に保持し、スマートフォン２がカバー本体３に対して移動された場合に、スマートフォン２により検出される状態を変化させる。
【００６９】
したがって、スマートフォン２は、自身がカバー本体３に対して移動されたことを検出することができる。そして、スマートフォン２とスマートフォンカバー１との協働により、スマートフォン２の移動に連動して、ユーザが認識可能な所定の処理が実行される。したがって、カバー本体３のスライド移動機能を用いてスマートフォン２をより便利に利用することができる。
【００７０】
（１ｂ）本実施形態では、スマートフォンカバー１は、起動状態のスマートフォン２により検出される状態を変化させることにより、所定の処理として第１のスライド連動アプリの機能であるモードの切替え及びカメラ部２２による撮像を実行する処理をスマートフォン２に実行させる。
【００７１】
このため、起動状態のスマートフォン２をカバー本体３に対して移動させるだけで、スマートフォン２にこれらの処理を実行させることができる。
特に、スマートフォンカバー１の装着時にカメラ部２２による撮像を行うにはスマートフォン２を第２の位置に移動させる必要があるが、スマートフォン２の第２の位置への移動に伴いカメラ部２２による撮像が自動的に行われるため、手間を軽減することができる。
【００７２】
（１ｃ）本実施形態では、スマートフォン２は、磁気センサ２３の検出値に基づいて、モードの切替え等を実行するように構成されている。また、スマートフォンカバー１のバネ５は、スマートフォン２のカバー本体３に対する移動に伴い、スマートフォン２に対する位置が変化するように設けられている。
【００７３】
したがって、スマートフォン２に対するバネ５の位置が変化することで、スマートフォン２により検出される、磁気の状態が変化する。よって、比較的安価かつ簡易な構成で、スマートフォン２により検出される状態を変化させることができる。
【００７４】
（１ｄ）本実施形態では、スマートフォン２のスライド移動に伴いスマートフォン２に対する位置が変化する磁力を有する部品を設けるに当たり、板部４１の位置決めに使用されるバネ５を流用している。したがって、磁力を有する部品を別途設ける構成と比較して、スマートフォンカバーの部品点数を減らすことができる。
【００７５】
なお、本実施形態では、バネ５が磁力を有する部品及び変化部の一例に相当する。また、Ｓ１０３及びＳ１０５が判定部としての処理の一例に相当し、Ｓ１０４及びＳ１０６が処理実行部としての処理の一例に相当する。
【００７６】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００７７】
第２実施形態のスマートフォン２は、第１実施形態と同一の構成である。ただし、第２実施形態のスマートフォン２には、前述したスライド連動アプリはインストールされていない。
【００７８】
一方、図６に示す第２実施形態のスマートフォンカバー６は、スピーカ６１と、スイッチ６２と、音声再生部６３と、を更に備え、前述したバネ５に代えて図示しないバネを備える点で、第１実施形態と相違する。
【００７９】
スマートフォンカバー６が備えるバネは、磁力を有していない通常の金属製のバネである。このバネは、第１実施形態のバネ５と同一の形状及び弾性等を有する。
スピーカ６１は、音声再生部６３からの指令に従い、音を出力する。
【００８０】
スイッチ６２は、スマートフォンのスライド移動に連動して切り替えられる。本実施形態では、スイッチ６２は、ベース４３１に設けられており、板部４１が第１の位置から第２の位置に移動すると板部４１からの外力により押し込まれてオンの状態になり、板部４１が第２の位置から第１の位置に移動すると板部４１からの外力から解放されてオフの状態になる。
【００８１】
音声再生部６３は、専用のＩＣチップを備えて構成されており、スイッチ６２の切替えに基づいて、所定の音をスピーカ６１に出力させる。本実施形態では、スマートフォン２は、スリープ状態において、音声認識機能を起動させるための所定のキーワードが処理実行音としてマイク２６に入力されると、スリープ状態から起動状態（具体的には音声操作を受け付ける音声操作状態）に遷移するように構成されている。音声再生部６３は、板部４１が第１の位置から第２の位置に移動してスイッチ６２がオフの状態からオンの状態に切り替えられると、このキーワードの音声をスピーカ６１に出力させる。このため、スマートフォン２が第１の位置から第２の位置に移動されると、そのキーワードの音声がスマートフォン２のマイク２６に入力され、自動的にスマートフォン２がスリープ状態から起動状態に遷移する。
【００８２】
［２−２．効果］
以上詳述した第２実施形態によれば、前述した第１実施形態の効果（１ａ）と同様の効果に加え、以下の効果が得られる。
【００８３】
本実施形態では、スマートフォン２は、マイク２６に処理実行音が入力されることにより、スリープ状態から起動状態に遷移する処理を実行するように構成されている。また、スマートフォンカバー６は、スマートフォン２がカバー本体３に対して移動された場合に、処理実行音をスピーカ６１に出力させることで、スマートフォン２により検出される、音の入力状態を変化させる。したがって、スマートフォン２をカバー本体３に対して移動させるだけで、スマートフォン２をスリープ状態から起動状態に遷移させることができる。
【００８４】
特に、音声認識機能を標準の機能として有するスマートフォンは広く利用されているため、専用のアプリケーションを用いなくても、スライド移動に連動させてスマートフォンをスリープ状態から起動状態に遷移させることができる。
【００８５】
なお、本実施形態では、音声再生部６３が音制御部の一例に相当し、スピーカ６１、スイッチ６２及び音声再生部６３が変化部の一例に相当する。
［３．第３実施形態］
［３−１．第１実施形態との相違点］
第３実施形態は、基本的な構成は第１実施形態と同様であるため、共通する構成については説明を省略し、相違点を中心に説明する。
【００８６】
第３実施形態のスマートフォン２は、第１実施形態と同一の構成である。第３実施形態のスマートフォン２には、第１実施形態と同様にスライド連動アプリがインストールされている。第３実施形態のスライド連動アプリは、基本的には第１実施形態のスライド連動アプリと同様のアプリであるが、スライド連動処理の内容が一部異なる。第３実施形態のスライド連動処理については後述する。
【００８７】
一方、図７Ａ及び図７Ｂに示す第３実施形態のスマートフォンカバー７は、ＮＦＣタグ７１を更に備え、前述したバネ５に代えて第２実施形態と同様のバネ（つまり通常の金属製のバネ）を備える点で、第１実施形態と相違する。なお、図７Ａ及び図７Ｂでは、ＮＦＣタグ７１及びスマートフォン２のＮＦＣアンテナ２５は、透過して図示されている。
【００８８】
ＮＦＣタグ７１は、スマートフォン２のＮＦＣアンテナ２５から発信される電波による電力で駆動することにより、ＮＦＣアンテナ２５に所定の情報である処理実行情報を送信するためのタグである。ＮＦＣタグ７１は、カバー本体３における上部に内蔵されており、板部４１がスライド移動されてもカバー本体３におけるＮＦＣタグ７１の位置が変化しないように設けられている。その結果、ＮＦＣタグ７１は、スマートフォン２のスライド移動に伴い、スマートフォン２に対する位置が変化する。
【００８９】
また、図７Ａに示すように、スマートフォン２が第１の位置に位置している状態では、ＮＦＣタグ７１は、ＮＦＣアンテナ２５とのＮＦＣ通信が行われない距離に位置する。一方、図７Ｂに示すように、スマートフォン２が第２の位置に位置している状態では、ＮＦＣタグ７１は、ＮＦＣアンテナ２５とのＮＦＣ通信が行われる距離に位置する。また、ＮＦＣタグ７１は、スマートフォン２が第２の位置に位置し、ＮＦＣアンテナ２５からの電波を受信している間は、ＮＦＣアンテナ２５に対し処理実行情報を送信し続ける。
【００９０】
［３−２．処理］
次に、第３実施形態のスマートフォン２の制御部２８が実行するスライド連動処理について、前述の図５を用いて説明する。
【００９１】
第３実施形態のスライド連動処理のＳ１０１〜Ｓ１０７のうち、Ｓ１０３及びＳ１０５以外の処理は、第１実施形態のスライド連動処理と同様である。以下では、相違点に係るＳ１０３及びＳ１０５のみを説明する。
【００９２】
Ｓ１０３で、制御部２８は、ＮＦＣアンテナ２５により受信される情報に基づいて、スマートフォン２が第１の位置から第２の位置に移動したか否かを判定する。
具体的には、制御部２８は、ＮＦＣアンテナ２５が、１周期前のＳ１０３ではＮＦＣタグ７１から処理実行情報を受信していない状態であり、最新のＳ１０３ではＮＦＣタグ７１から処理実行情報を受信している状態である場合に、スマートフォン２が第１の位置から第２の位置に移動したと判定する。なお、１周期目のＳ１０３では、制御部２８は、ＮＦＣアンテナ２５の処理実行情報の受信状態に関係なく、スマートフォン２が第１の位置から第２の位置に移動していないと判定する。
【００９３】
Ｓ１０５で、制御部２８は、ＮＦＣアンテナ２５により受信される情報に基づいて、スマートフォン２が第２の位置から第１の位置に移動したか否かを判定する。
具体的には、制御部２８は、ＮＦＣアンテナ２５が、１周期前のＳ１０３ではＮＦＣタグ７１から処理実行情報を受信している状態であり、最新のＳ１０３ではＮＦＣタグ７１から処理実行情報を受信していない状態である場合に、スマートフォン２が第２の位置から第１の位置に移動したと判定する。なお、１周期目のＳ１０５では、制御部２８は、ＮＦＣアンテナ２５の処理実行情報の受信状態に関係なく、スマートフォン２が第２の位置から第１の位置に移動していないと判定する。
【００９４】
［３−３．効果］
以上詳述した第３実施形態によれば、前述した第１実施形態の効果（１ａ）及び（１ｂ）と同様の効果に加え、以下の効果が得られる。
【００９５】
本実施形態では、スマートフォン２は、ＮＦＣアンテナ２５を介して処理実行情報を受信することにより、スライド連動アプリのモードの切替え及びカメラ部２２による撮像を実行するように構成されている。また、スマートフォンカバー７のＮＦＣタグ７１は、スマートフォン２のカバー本体３に対する移動に伴い、スマートフォン２に対する位置が変化するように設けられている。
【００９６】
したがって、スマートフォン２に対するＮＦＣタグ７１の位置が変化し、ＮＦＣタグ７１が処理実行情報をＮＦＣアンテナ２５に送信することで、スマートフォン２により検出される、情報の受信状態が変化する。このように、ＮＦＣアンテナ２５から発信される電波による電力に基づいて、スマートフォン２により検出される状態を変化させることができる。
【００９７】
なお、本実施形態では、ＮＦＣタグ７１が変化部の一例に相当する。
［４．第４実施形態］
［４−１．第１実施形態との相違点］
第４実施形態は、基本的な構成は第１実施形態と同様であるため、共通する構成については説明を省略し、相違点を中心に説明する。
【００９８】
第４実施形態のスマートフォン２は、第１実施形態と同一の構成である。ただし、第４実施形態のスマートフォン２には、前述したスライド連動アプリはインストールされていない。
【００９９】
また、第４実施形態のスマートフォン２は、カメラアプリの起動時において、イヤホンジャック２４に接続されたイヤホンケーブルの音量調節ボタンがシャッターボタンとして機能するように構成されている。より詳細には、スマートフォン２は、イヤホンケーブルの音量調節ボタンが操作されてイヤホンジャック２４に音量を調節するための信号（以下、音量調節信号）が入力されると、カメラ部２２による撮像を行うように構成されている。
【０１００】
一方、図８に示す第４実施形態のスマートフォンカバー８は、スマートフォン２のスライド移動に連動させてスマートフォン２にカメラ部２２による撮像を行わせる。このスマートフォンカバー８は、音量調節信号が入力されることでカメラ部２２による撮像を行うというスマートフォン２の機能を利用して、スマートフォン２にカメラ部２２による撮像を行わせる。具体的には、スマートフォンカバー８は、スイッチ８１、ケーブル８２及び信号出力部８３を更に備え、前述したバネ５に代えて第２実施形態と同様のバネを備える点で、第１実施形態と相違する。
【０１０１】
スイッチ８１は、スマートフォン２のスライド移動に連動して切り替えられる。本実施形態では、スイッチ８１は、第２実施形態のスイッチ６２と同様にベース４３１に設けられており、板部４１が第１の位置から第２の位置に移動するとオンの状態に切り替えられ、板部４１が第２の位置から第１の位置に移動するとオフの状態に切り替えられる。
【０１０２】
ケーブル８２は、スマートフォン２とスマートフォンカバー８とを電気的に接続するためのものである。ケーブル８２の一端にはプラグが設けられており、このプラグがスマートフォン２のイヤホンジャック２４に差し込まれる。
【０１０３】
信号出力部８３は、専用のＩＣチップを備えて構成されており、板部４１が第１の位置から第２の位置に移動してスイッチ８１がオンの状態に切り替えられると、音量調節信号をケーブル８２に出力する。
【０１０４】
このように本実施形態では、スマートフォン２が第１の位置から第２の位置に移動されると、信号出力部８３からケーブル８２に音量調節信号が出力され、ケーブル８２を介して音量調節信号がイヤホンジャック２４に入力される。このため、スマートフォン２が第１の位置から第２の位置に移動されると、カメラ部２２による撮像が自動的に行われる。
【０１０５】
［４−２．効果］
以上詳述した第４実施形態によれば、前述した第１実施形態の効果（１ａ）及び（１ｂ）と同様の効果に加え、以下の効果が得られる。
【０１０６】
本実施形態では、ケーブル８２を用いるため、スマートフォン２が状態変化を検出することができる確実性を向上させることができる。すなわち、例えば第２実施形態のようにスマートフォン２のスライド移動に連動させて音を出力する構成では、外部が騒がしい状況などではスマートフォン２が音を検出しづらい。換言すれば、スマートフォン２が状態変化を検出しづらい。これに対して、本実施形態では、スマートフォン２が移動された場合に、ケーブル８２を介して音量調節信号がスマートフォン２に入力されることにより、スマートフォン２への信号の入力状態が変化される。したがって、音を出力する構成と比較して、外部状況に影響されずにスマートフォン２により検出される状態を変化させる。よって、スマートフォンカバー８によれば、スマートフォン２が状態変化を検出することができる確実性を向上させることができる。ひいては、スマートフォン２のスライド移動に連動して処理が実行される確実性を向上させることができる。
【０１０７】
なお、本実施形態では、イヤホンジャック２４が接続部の一例に相当し、音量調節信号が処理実行信号の一例に相当し、スイッチ８１及び信号出力部８３が変化部の一例に相当する。
【０１０８】
［５．他の実施形態］
以上、本開示を実施するための形態について説明したが、本開示は上述の実施形態に限定されることなく、種々変形して実施することができる。
【０１０９】
（５ａ）上記第１，第３及び第４実施形態では、スマートフォン２のスライド移動に連動して実行されるアプリの機能はカメラ部２２による撮像等である。具体的には、保持部４は、スマートフォン２を、当該スマートフォン２の背面に設けられたカメラ部２２のレンズ２２ａがカバー本体３により覆われる位置である第１の位置と、レンズ２２ａがカバー本体３から露出する位置である第２の位置と、の間で移動可能に保持する。そして、スマートフォンカバー１，７，８は、スマートフォン２が第１の位置から第２の位置に移動された場合に、スマートフォン２により検出される状態を変化させることにより、レンズ２２ａを用いる処理としてカメラ部２２による撮像等をスマートフォン２に実行させた。しかし、スマートフォンのスライド移動に連動して実行されるアプリの機能はこれに限られるものではない。例えば、スマートフォンのスライド移動に連動して、スマートフォンのフラッシュ用のライトを点灯させてもよい。
【０１１０】
また、上記第１，第３及び第４実施形態では、スマートフォン２をスライド移動させることで、起動状態のスマートフォン２にカメラ部２２による撮像等の所定のアプリの機能を実行させるが、起動状態のスマートフォンに実行させる処理はこれに限られるものではない。
【０１１１】
例えば、スマートフォンカバーは、起動状態のスマートフォンにより検出される状態を変化させることにより、スマートフォンに所定のアプリを起動する処理を実行させてもよい。また、逆に、スマートフォンに所定のアプリを終了する処理を実行させてもよい。
【０１１２】
具体的には例えば、スマートフォンが第１の位置から第２の位置にスライド移動した場合に、カメラアプリを起動する処理を実行させてもよい。また、スマートフォンが第２の位置から第１の位置にスライド移動した場合に、カメラアプリを終了する処理を実行させてもよい。つまり、前述したカメラ部２２のレンズ２２ａを用いる処理は、カメラ部２２による撮像に限られず、カメラアプリの起動などの、カメラ部２２による撮像を行うための準備であってもよい。
【０１１３】
このような構成によれば、起動状態のスマートフォンをカバー本体に対して移動させるだけで、スマートフォンに所定のアプリを起動又は終了させることができる。特に、カメラアプリなどの、スマートフォンカバーの装着時において利用するためにスマートフォンを第２の位置に移動させる必要があるアプリについては、スマートフォンの移動とアプリの起動とを同時に行うことができるため、手間を軽減することができる。
【０１１４】
また例えば、スマートフォンカバーは、起動状態のスマートフォンにより検出される状態を変化させることにより、スマートフォンに起動状態からスリープ状態に遷移する処理を実行させてもよい。このような構成によれば、起動状態のスマートフォンをカバー本体に対して移動させるだけで、起動状態からスリープ状態に遷移させることができる。
【０１１５】
また例えば、前述したように、スマートフォン２が第１の位置に位置している状態では、閉状態において、スマートフォン２のタッチパネルディスプレイ２１の全部がカバー本体３（正面板部３３ａ）により覆われる。一方、スマートフォン２が第２の位置に位置している状態では、閉状態においても、タッチパネルディスプレイ２１の一部（タッチパネルディスプレイ２１における上部）がカバー本体３から露出する。このことを利用して、例えばスマートフォンカバーは、スマートフォンが第１の位置から第２の位置に移動された場合に、スマートフォンにより検出される状態を変化させることにより、タッチパネルディスプレイにおけるカバー本体から露出している部分（上記各実施形態ではタッチパネルディスプレイ２１における上部）に所定の情報を表示する処理をスマートフォンに実行させてもよい。
【０１１６】
所定の情報として例えば、電話の着信があった場合に、発信者の情報が表示されてもよい。このような構成によれば、閉状態、具体的にはスマートフォンカバーが２つ折りにされた状態のままでも、スマートフォンをスライド移動させることで、タッチパネルディスプレイに表示された所定の情報を確認することができる。そして、スマートフォンカバーを２つ折りにした状態のままで、電話に出るか否かの判断等を行うことができる。また、この場合において例えば、スマートフォンを、当該スマートフォンを第２の位置から第１の位置にスライド移動させてカバー本体に収納することで、着信を拒否できる構成としてもよい。
【０１１７】
また例えば、スマートフォンに電話が掛かっていないときなどにおいて、タッチパネルディスプレイにおけるカバー本体から露出する部分に、直近のスケジュール等が表示されるようにしてもよい。
【０１１８】
（５ｂ）上記第１実施形態では、磁力を有する部品としてバネ５を例示したが、磁力を有する部品はこれに限られるものではない。磁力を有する部品は、例えば、スマートフォン２のスライド移動に伴い磁気センサ２３の検出値を変化させるためだけに別途カバー本体３に設けられた磁石等であってもよい。換言すれば、磁力を有する部品を設けるに当たり、板部４１の位置決め等に使用される部品を流用しなくてもよい。
【０１１９】
（５ｃ）バネ５、ひいては磁力を有する部品の位置の変化の仕方は上記第１実施形態のものに限られるものではない。磁力を有する部品は例えば、カバー本体３に対して平行移動してもよい。同様に、ＮＦＣタグの位置の変化の仕方も上記第３実施形態のものに限られるものではない。
【０１２０】
（５ｄ）上記第２実施形態では、音声再生部６３は、スマートフォン２をスリープ状態から起動状態に遷移させるための処理実行音をスピーカ６１に出力させるが、処理実行音はこれに限られるものではない。音声再生部は、例えば、処理実行音として、スマートフォン２に所定のアプリを起動する処理を実行させるための音声をスピーカに出力させてもよい。また例えば、音声再生部は、処理実行音として、スマートフォン２に所定のアプリの機能を実行させるための音声をスピーカに出力させてもよい。
【０１２１】
また、上記第２実施形態では、スマートフォンカバー６は、１種類の処理実行音のみ出力可能であるが、スマートフォンカバーが出力可能な処理実行音の種類はこれに限られるものではない。スマートフォンカバーは例えば、２種類以上の処理実行音を出力可能であってもよい。この場合において例えば、スマートフォンカバーは、音声再生部の設定等を変更することにより、スピーカから出力される処理実行音を変更可能であってもよい。また例えば、音声再生部の設定等を変更しなくても複数種類の処理実行音が出力されてもよい。具体的には例えば、上記各実施形態のようにスマートフォン２、ひいては携帯情報端末がカバー本体に対して複数種類の移動（方向が異なる移動や、平行移動及び回転移動など）が可能である場合において、移動の種類に応じて異なる種類の処理実行音が出力されてもよい。
【０１２２】
また例えば、スマートフォンひいては携帯情報端末は、前述したように、音声認識機能を作動させるための所定のキーワートが処理実行音としてマイクに入力されると、音声操作を受け付ける音声操作状態に遷移するように構成されているとする。この場合において、音声再生部は、携帯情報端末が移動された場合に、スピーカに、そのキーワードを第１の音声として出力させ、その後に、携帯情報端末に所定の処理を実行することを指示する音声を第２の音声として出力させてもよい。第２の音声は、例えば、所定のアプリの起動や、所定のアプリが有する所定の機能の実行など、具体的な操作内容を表す音声であってもよい。つまり、音声再生部が、複数の処理実行音を、間隔を空けて発することで、携帯情報端末に複数の処理を順に実行させるようにしてもよい。このようにすれば、例えば、携帯情報端末をスリープ状態から起動状態（具体的には音声操作状態）に遷移させ、その後にカメラアプリを起動させるといったことが可能となる。
【０１２３】
このように、スマートフォンカバーを複数種類の処理実行音を出力可能な構成とすることで、スマートフォン２の音の入力状態の多様な変化を実現することできる。したがって、これに応じて、スマートフォン２に音の入力状態の変化に応じた複数種類の処理を実行させることができる。
【０１２４】
（５ｅ）上記第２実施形態では、スマートフォンカバー６は、スマートフォン２がスライド移動された場合に、スマートフォンが標準的に有している機能である音声認識機能に働きかけることで、スマートフォン２に所定の処理を実行させたが、スマートフォン、ひいては携帯情報端末に処理を実行させる方法はこれに限られるものではない。例えば、上記第１及び第３実施形態のように、インストールされた専用のアプリに働きかけることで、携帯情報端末に所定の処理を実行させてもよい。
【０１２５】
（５ｆ）上記第３実施形態では、スマートフォン２のスライド移動に伴いＮＦＣ通信が行われている状態と行われていない状態とが切り替えられることにより、スマートフォン２により検出される状態が変化される。しかし、ＮＦＣ通信を用いてスマートフォン２により検出される状態を変化させる構成はこれに限られるものではない。
【０１２６】
例えば、ＮＦＣタグを、スマートフォンカバーがスマートフォン２に装着されている状態においてＮＦＣアンテナ２５と常時ＮＦＣ通信を行うように設ける。そして、スマートフォン２の移動に連動して切り替えられるスイッチ等を用いて、スマートフォン２の移動に連動してＮＦＣタグから送信される情報の内容が変更されてもよい。
【０１２７】
また例えば、スマートフォンカバーは、ＮＦＣアンテナ２５からの電波を遮蔽する遮蔽部材を備えていてもよい。具体的には、遮蔽部材は、スマートフォンの移動に伴い、ＮＦＣタグを覆う位置と、ＮＦＣタグを覆わない位置と、の間で移動するように設けられていてもよい。この構成では、ＮＦＣタグが遮蔽部材により覆われている状態では、ＮＦＣタグがＮＦＣアンテナ２５からの電波を受信せず、処理実行情報をＮＦＣアンテナ２５に送信しない。一方、ＮＦＣタグが遮蔽部材により覆われていない状態では、ＮＦＣタグがＮＦＣアンテナ２５からの電波を受信し、処理実行情報をＮＦＣアンテナ２５に送信する。
【０１２８】
例えば、上記実施形態の板部４１に、前述した遮蔽部材としての機能を持たせてもよい。具体的には、板部が第１の位置に位置している状態において、当該板部により覆われる位置にＮＦＣタグを設ける。このＮＦＣタグは、板部が移動してもその位置が変わらないように設けられる。このような構成によれば、板部が第１の位置から第２の位置に移動されるとＮＦＣタグが露出し、ＮＦＣタグがＮＦＣアンテナ２５からの電波を受信できるようにすることができる。
【０１２９】
また、上記第３実施形態では、スマートフォン２は、ＮＦＣタグ７１からの処理実行情報の受信の有無に基づいて、所定の処理を実行する。換言すれば、処理実行情報は、当該情報がＮＦＣタグ７１から送信された情報であることを識別可能なレベルの情報であればよい。しかしながら、ＮＦＣタグ７１から送信される情報はこれに限られるものではなく、当該情報は例えば、携帯情報端末に実行させる処理を特定するような、より精細な情報であってもよい。
【０１３０】
（５ｇ）上記第４実施形態では、ケーブル８２はスマートフォンカバー８の一部であるが、スマートフォンカバーの構成はこれに限られるものではない。例えば、スマートフォンカバーとケーブルとは別体であってもよい。換言すれば、ケーブルは、スマートフォンカバーに着脱可能に接続されてもよい。
【０１３１】
（５ｈ）上記各実施形態では、スマートフォンカバー１，６〜８は、スマートフォン２により検出される状態を変化させるように構成されている。より詳細には、スマートフォンカバー１，６〜８は、スマートフォン２が備えるセンサにより検出される状態を変化させるように構成されている。センサとは、磁気、音、特定の電波、光、加速度、高度、圧力などの物理量を検出し、電気信号に変換する機能を有する装置を意味する。例えば、センサには、磁気を検出する磁気センサ２３、音を検出するマイク２６、特定の電波を検出する電波センサ（例えばＮＦＣアンテナ２５）、光を検出する光センサ（例えばカメラ部２２）、加速度を検出する加速度センサ、高度を検出する高度センサ、圧力を検出する圧力センサなどが含まれる。これらのうち、上記各実施形態では、磁気センサ２３により検出される、磁気の状態等が変化されたが、スマートフォンカバーが変化させる、スマートフォンにより検出される状態はこれに限られるものではない。
【０１３２】
例えば、スマートフォンは、所定の光である処理実行光を検出する光センサ（例えばカメラ部２２）を備え、当該光センサにより処理実行光が検出されることにより所定の処理を実行するように構成される。そして、スマートフォンカバーは、処理実行光を出力する発光体（例えばＬＥＤ）を備え、スマートフォンの移動に連動して切り替えられるスイッチの切替えに基づいて、発光体に処理実行光を出力させてもよい。このような構成によれば、スマートフォンにより検出される、光の入力状態を変化させることで、スマートフォンに所定の処理を実行させるができる。
【０１３３】
また例えば、スマートフォンは、Ｂｌｕｅｔｏｏｔｈ（登録商標。以下、ＢＴ。）通信を行うためのアンテナである端末側ＢＴアンテナを備え、端末側ＢＴアンテナを介して所定の情報であるＢＴ処理実行情報を受信することにより所定の処理を実行するように構成される。そして、スマートフォンカバーは、端末側ＢＴアンテナとＢＴ通信可能なアンテナであるカバー側ＢＴアンテナを備え、スマートフォンの移動に連動して切り替えられるスイッチの切替えに基づいて、カバー側ＢＴアンテナにＢＴ処理実行情報を送信させてもよい。このような構成によれば、スマートフォンにより検出される、情報の受信状態を変化させることで、スマートフォンに所定の処理を実行させるができる。
【０１３４】
また例えば、スマートフォンは、当該スマートフォンの加速度を検出する加速度センサを備え、加速度センサの検出値に基づいて、自身がカバー本体に対して移動されたことを検出してもよい。そして、スマートフォンは、自身がカバー本体に対して移動されたことを検出した場合に、所定の処理を実行するように構成されていてもよい。このような構成によれば、スマートフォンにより検出される、加速の状態を変化させることで、スマートフォンに所定の処理を実行させることができる。また、スマートフォンは例えば、当該スマートフォンが移動後の位置に停止する直前に発生する、移動と逆方向に作用する加速度を検出することにより、自身が移動されたことを検出してもよい。
【０１３５】
また、スマートフォンは、加速度センサと、磁気センサ２３などの他のセンサと、を併用して、自身がカバー本体に対して移動されたことを検出してもよい。このような構成によれば、他のセンサのみを用いる構成と比較して、スマートフォンの移動の検出精度を向上させることができる。
【０１３６】
（５ｉ）上記各実施形態では、スマートフォン２はカバー本体３に対してスライド移動するが、スマートフォン２、ひいては携帯情報端末のカバー本体に対する相対移動はこれに限られるものではない。携帯情報端末は例えば、カバー本体に対して回転してもよい。
【０１３７】
（５ｊ）上記各実施形態では、携帯情報端末としてスマートフォン２を例示したが、携帯情報端末はこれに限られるものではない。携帯情報端末は、例えば、携帯電話やタブレット端末、携帯可能なゲーム機等であってもよい。
【０１３８】
（５ｋ）上記各実施形態で、制御部２８が実行する機能の一部又は全部を、１つあるいは複数のＩＣ等によりハードウェア的に構成してもよい。
（５ｌ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【０１３９】
（５ｍ）前述したスマートフォン２の制御部２８の他、当該制御部２８としてコンピュータを機能させるためのプログラム、このプログラムを記録した半導体メモリ等の非遷移的実体的記録媒体、カバー本体に対する携帯情報端末の移動に連動して携帯情報端末に処理を実行させる方法など、種々の形態で本開示を実現することもできる。
【符号の説明】
【０１４０】
１，６〜８…スマートフォンカバー、２…スマートフォン、３…カバー本体、５…バネ、２１…タッチパネルディスプレイ、２２…カメラ部、２３…磁気センサ、２４…イヤホンジャック、２５…ＮＦＣアンテナ、２６…マイク、２７…ボタン操作部、２８…制御部、４１…板部、４３…スライド機構、６１…スピーカ、６２，８１…スイッチ、６３…音声再生部、７１…ＮＦＣタグ、８２…ケーブル、８３…信号出力部。
【図１】
2017183823.tif 000003
【図２】
2017183823.tif 000004
【図３】
2017183823.tif 000005
【図４】
2017183823.tif 000006
【図５】
2017183823.tif 000007
【図６】
2017183823.tif 000008
【図７】
2017183823.tif 000009
【図８】
2017183823.tif 000010
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
携帯情報端末の背面を覆うように前記携帯情報端末に装着される携帯情報端末カバーであって、
前記携帯情報端末の背面を覆う部分である背面板部を備えるカバー本体と、
前記背面板部に設けられ、前記携帯情報端末を前記背面板部に対してスライド移動可能に保持する保持部と、
前記携帯情報端末が前記背面板部に対してスライド移動された場合に、前記携帯情報端末により検出される状態を変化させるように構成された変化部と、
を備え、
前記携帯情報端末は、電源オフ状態、スリープ状態及び起動状態に遷移可能に構成され、
前記変化部は、前記スリープ状態の前記携帯情報端末により検出される状態を変化させることにより、前記携帯情報端末に前記スリープ状態から前記起動状態に遷移する処理を実行させる、携帯情報端末カバー。
【請求項２】
請求項１に記載の携帯情報端末カバーであって、
前記変化部は、前記起動状態の前記携帯情報端末により検出される状態を変化させることにより、前記携帯情報端末に所定のアプリケーションソフトウェアを起動する処理を実行させる、携帯情報端末カバー。
【請求項３】
携帯情報端末の背面を覆うように前記携帯情報端末に装着される携帯情報端末カバーであって、
前記携帯情報端末の背面を覆う部分である背面板部を備えるカバー本体と、
前記背面板部に設けられ、前記携帯情報端末を前記背面板部に対してスライド移動可能に保持する保持部と、
前記携帯情報端末が前記背面板部に対してスライド移動された場合に、前記携帯情報端末により検出される状態を変化させるように構成された変化部と、
を備え、
前記携帯情報端末は、電源オフ状態、スリープ状態及び起動状態に遷移可能に構成され、
前記変化部は、前記起動状態の前記携帯情報端末により検出される状態を変化させることにより、前記携帯情報端末に所定のアプリケーションソフトウェアを起動する処理を実行させる、携帯情報端末カバー。
【請求項４】
請求項１から請求項３までのいずれか１項に記載の携帯情報端末カバーであって、
前記変化部は、前記起動状態の前記携帯情報端末により検出される状態を変化させることにより、前記携帯情報端末に所定のアプリケーションソフトウェアの機能を実行させる、携帯情報端末カバー。
【請求項５】
携帯情報端末の背面を覆うように前記携帯情報端末に装着される携帯情報端末カバーであって、
前記携帯情報端末の背面を覆う部分である背面板部を備えるカバー本体と、
前記背面板部に設けられ、前記携帯情報端末を前記背面板部に対してスライド移動可能に保持する保持部と、
前記携帯情報端末が前記背面板部に対してスライド移動された場合に、前記携帯情報端末により検出される状態を変化させるように構成された変化部と、
を備え、
前記携帯情報端末は、電源オフ状態、スリープ状態及び起動状態に遷移可能に構成され、
前記変化部は、前記起動状態の前記携帯情報端末により検出される状態を変化させることにより、前記携帯情報端末に所定のアプリケーションソフトウェアの機能を実行させる、携帯情報端末カバー。
【請求項６】
請求項１から請求項５までのいずれか１項に記載の携帯情報端末カバーであって、
前記携帯情報端末は、磁気を検出する磁気センサを備え、
前記変化部は、磁力を有する部品を備え、
前記磁力を有する部品は、前記携帯情報端末の前記背面板部に対するスライド移動に伴い前記携帯情報端末に対する位置が変化するように設けられ、
前記変化部は、前記携帯情報端末に対する前記磁力を有する部品の位置が変化することで、前記携帯情報端末により検出される、磁気の状態を変化させる、携帯情報端末カバー。
【請求項７】
請求項１から請求項６までのいずれか１項に記載の携帯情報端末カバーであって、
前記携帯情報端末は、マイクを備え、
前記変化部は、
スピーカと、
前記携帯情報端末が前記背面板部に対してスライド移動された場合に、所定の音である処理実行音を前記スピーカに出力させる音制御部と、
を備え、
前記変化部は、前記処理実行音を前記スピーカから出力させることで、前記携帯情報端末により検出される、前記処理実行音の入力状態を変化させる、携帯情報端末カバー。
【請求項８】
請求項１から請求項７までのいずれか１項に記載の携帯情報端末カバーであって、
前記携帯情報端末は、ＮＦＣ通信を行うためのＮＦＣアンテナを備え、
前記変化部は、前記ＮＦＣアンテナから発信される電波による電力で駆動することにより所定の情報である処理実行情報を前記ＮＦＣアンテナに送信するＮＦＣタグを備え、
前記ＮＦＣタグは、前記携帯情報端末の前記背面板部に対するスライド移動に伴い、前記携帯情報端末に対する位置が変化するように設けられ、
前記変化部は、前記携帯情報端末に対する前記ＮＦＣタグの位置が変化し、前記ＮＦＣタグが前記処理実行情報を前記ＮＦＣアンテナに送信することで、前記携帯情報端末により検出される、前記処理実行情報の受信状態を変化させる、携帯情報端末カバー。
【請求項９】
請求項１から請求項８までのいずれか１項に記載の携帯情報端末カバーであって、
前記携帯情報端末は、当該携帯情報端末と前記携帯情報端末カバーとを接続するケーブルを接続可能な接続部を備え、
前記変化部は、
前記携帯情報端末の前記背面板部に対するスライド移動に連動して切り替えられるスイッチと、
前記スイッチの切替えに基づいて、前記ケーブルに所定の信号である処理実行信号を出力する信号出力部と、
を備え、
前記変化部は、前記ケーブルに前記処理実行信号が出力されることで、前記携帯情報端末により検出される、前記処理実行信号の入力状態を変化させる、携帯情報端末カバー。
【請求項１０】
電源オフ状態、スリープ状態及び起動状態に遷移可能に構成された携帯情報端末が備えるコンピュータを、
前記携帯情報端末が、当該携帯情報端末の背面を覆うように当該携帯情報端末に装着される携帯情報端末カバーであって、当該携帯情報端末の背面を覆う部分である背面板部を備え、当該携帯情報端末を前記背面板部に対してスライド移動可能に保持する前記携帯情報端末カバーの前記背面板部に対してスライド移動したか否かを判定する判定部、及び、
前記判定部により前記携帯情報端末が前記背面板部に対してスライド移動したと判定された場合に、前記携帯情報端末を前記スリープ状態から前記起動状態に遷移させる処理を実行する処理実行部、
として機能させる携帯情報端末プログラム。
【請求項１１】
電源オフ状態、スリープ状態及び起動状態に遷移可能に構成された携帯情報端末が備えるコンピュータを、
前記携帯情報端末が、当該携帯情報端末の背面を覆うように当該携帯情報端末に装着される携帯情報端末カバーであって、当該携帯情報端末の背面を覆う部分である背面板部を備え、当該携帯情報端末を前記背面板部に対してスライド移動可能に保持する前記携帯情報端末カバーの前記背面板部に対してスライド移動したか否かを判定する判定部、及び、
前記判定部により前記携帯情報端末が前記背面板部に対してスライド移動したと判定された場合に、前記起動状態の前記携帯情報端末に所定のアプリケーションソフトウェアを起動させる処理を実行する処理実行部、
として機能させる携帯情報端末プログラム。
【請求項１２】
電源オフ状態、スリープ状態及び起動状態に遷移可能に構成された携帯情報端末が備えるコンピュータを、
前記携帯情報端末が、当該携帯情報端末の背面を覆うように当該携帯情報端末に装着される携帯情報端末カバーであって、当該携帯情報端末の背面を覆う部分である背面板部を備え、当該携帯情報端末を前記背面板部に対してスライド移動可能に保持する前記携帯情報端末カバーの前記背面板部に対してスライド移動したか否かを判定する判定部、及び、
前記判定部により前記携帯情報端末が前記背面板部に対してスライド移動したと判定された場合に、前記起動状態の前記携帯情報端末に所定のアプリケーションソフトウェアの機能を実行させる処理を実行する処理実行部、
として機能させる携帯情報端末プログラム。